(57)【特許請求の範囲】
【請求項１】
パチンコ玉を一列縦列で傾斜底部上を転動させるパチンコ玉傾斜路に、転動方向に沿って揺動自在に設置され、パチンコ玉と接触して縦の重なりを均すための玉均し振子体であって、
当該玉均し振子体は、均しのためにパチンコ玉と接触する上流案内部と、当該上流案内部の下流側でパチンコ玉と接触するように当該上流案内部と一体に設けた下流案内部と、を備え、
当該上流案内部は揺動時に最もパチンコ玉に近づく上流最下端部を、当該下流案内部は無負荷時に最もパチンコ玉に近づく下流最下端部を、それぞれ備え、
当該上流最下端部は、設置時において当該下流最下端部を通過可能な個数よりも１個だけ多く通過可能となる位置に配してある
ことを特徴とするパチンコ玉傾斜路に設置される均し振子体。
【請求項２】
パチンコ玉を一列縦列で傾斜底部上を転動させるパチンコ玉傾斜路に、転動方向に沿って揺動自在に設置され、パチンコ玉と接触して縦の重なりを均すための玉均し振子体であって、
当該玉均し振子体は、均しのためにパチンコ玉と接触する上流案内部と、当該上流案内部の下流側でパチンコ玉と接触するように当該上流案内部と一体に設けた下流案内部と、を備え、
当該上流案内部は揺動時に最もパチンコ玉に近づく上流最下端部を、当該下流案内部は無負荷時に最もパチンコ玉に近づく下流最下端部を、それぞれ備え、
揺動時における当該上流最下端部の軌跡と当該傾斜底部との間の上流最短距離はパチンコ玉ｎ（ｎ＝２以上）個分の直径寸法よりも長くパチンコ玉ｎ＋1個分の直径寸法よりも短く設定してあり、かつ、
揺動時における当該下流最下端部の軌跡と当該傾斜底面との間の下流最短距離はパチンコ玉ｎ−１個分の直径寸法よりも長くパチンコ玉ｎ個分の直径寸法よりも短く設定してある
ことを特徴とするパチンコ玉傾斜路に設置される均し振子体。
【請求項３】
前記下流案内部の少なくともパチンコ玉と接触する部位は、前記傾斜底部の側面から見たときに前記下流最下端部を含む円弧状に形成してある
ことを特徴とする請求項２記載の均し振子体。
【請求項４】
パチンコ玉を一列縦列で傾斜底部上を転動させるパチンコ玉傾斜路であって、
請求項２又は３記載の均し振子体を備える
ことを特徴とするパチンコ玉傾斜路。
【発明の詳細な説明】
【技術分野】
【０００１】
本発明は、パチンコ玉を一列縦列で転動させるパチンコ玉傾斜路に設置されるパチンコ玉の重なりを均す均し振子体に関する。
【背景技術】
【０００２】
パチンコ玉傾斜路が設置される典型例として、特許文献１に開示されたパチンコ玉補給装置がある。このパチンコ玉補給装置は、補給樋から取り入れたパチンコ玉をパチンコ遊技機に補給する装置である。なお、パチンコ玉補給装置には、パチンコ玉を一列縦列で転動させるためのパチンコ玉傾斜路を設けてあり、パチンコ玉傾斜路の途中にはパチンコ遊技機へのパチンコ玉補給個数をカウントするための玉通過センサを設けてある。パチンコ玉傾斜路のうち、玉通過センサの上流に位置する部位では、玉通過センサを通過するパチンコ玉を１個ずつにするために、パチンコ玉を一列縦列で転動するようになっている。一方、パチンコ玉傾斜路に流入するパチンコ玉は縦に重なっているので、このパチンコ玉の重なりを均すための均し部材が設けられている。均し部材は、パチンコ玉傾斜路を仕切る両側壁に固定された軸と、軸に軸支された紡錘型の本体部とからなり、本体部には錘が埋設されている。この均し部材は、第１玉均し部材と呼ばれ、第１玉均し部材の下流には第２均し部材が配されている。第２均し部材は、パチンコ玉傾斜路上方の一部を覆うように横方向に張り出した板状部材であって、第１玉均し部材を通過してもなお重なるパチンコ玉を均す役割を担っている。
【０００３】
他方、特許文献２には、パチンコ玉傾斜路に吊り下げられた幅方向扁平の第１玉均し部材と、第１玉均し部材の下流にシーソーのように揺動する長尺な第２玉均し部材が開示されている。第１玉均し部材は、パチンコ玉傾斜路内のパチンコ玉を均して重なりを解消することを目的とする部材であり、第２玉均し部材は、第１玉均し部材を通過してもなお重なるパチンコ玉がある場合に、その重なりを均して解消することを目的とする部材である。
【０００４】
さらに、特許文献３に示される玉均し部材は、下面に案内面を有する板状の基板部と、基板部の下流端下面に形成された屈曲凹部と、基板部の下流端上部に形成された錘り部と、基板部を揺動させるための結合部とを有している。結合部は軸を通すための長穴を備え、これにより基板部は上下動できるようになっている。ここで、パチンコ玉の重なりは案内面によって均されて解消されることになっているが、解消されないときのパチンコ玉は屈曲凹部に侵入し、そこで錘り部からの荷重を受けることにより解消されるようになっている。
【先行技術文献】
【特許文献】
【０００５】
【特許文献１】特開２００９−９５６１３号（段落００２７、００２８、図４）
【特許文献２】特開２００２−３４６１４４号（段落００１０〜１５、図８）
【特許文献３】特開２００９−１０６５７１号（段落００１２〜１５、図７）
【発明の概要】
【発明が解決しようとする課題】
【０００６】
上述した特許文献１および２に係る玉均し部材は、いずれも第１および第２という２段構えでパチンコ玉を均すためのものである。パチンコ玉の均しは、理想的に言えば1段で足りる。しかし、玉均しの振れ具合とパチンコ玉通過のタイミングにより均しに失敗したり、若しくは、玉均しには成功したが後発的に玉が再び重なったりして、均し効果が発揮できない場合が想定できる。そのような場合に備え、予備的に２段もしくはそれ以上の段数を持って玉均しが行われるようになっている。しかし、それでもまだ問題が残っている。玉均しを複数段設置するにしても、そのためのスペース確保、部品コストが嵩むなどの問題があるため、いたずらに段数を増やすことができない。限られたスペースに多段の玉均しを配置すれば、玉均し間の距離が短くなり、それゆえに玉詰まりが生じてしまうことさえある。本発明が解決しようとする課題は、省スペースでありながら多段の玉均しを可能とする均し振子体を提供することにある。
【課題を解決するための手段】
【０００７】
上記課題を解決するために本発明は、次の構成を備えている。なお、構成の詳細については、項を改めて説明する。また、いずれかの請求項に係る発明を説明するに当たって行う用語の定義等は、その性質上可能な範囲において説明順等に関わりなく他の請求項に係る発明にも適用するものとする。
【０００８】
（請求項１記載の発明の特徴）
請求項１記載の発明に係るパチンコ玉傾斜路に設置される均し振子体（以下、「請求項１の振子体」という）は、パチンコ玉を一列縦列で傾斜底部上を転動させるパチンコ玉傾斜路に、転動方向に沿って揺動自在に設置され、パチンコ玉と接触して縦の重なりを均すための玉均し振子体である。請求項１の振子体は、均しのためにパチンコ玉と接触する上流案内部と、当該上流案内部の下流側でパチンコ玉と接触するように当該上流案内部と一体に設けた下流案内部と、を備え、当該上流案内部は揺動時に最もパチンコ玉に近づく上流最下端部を、当該下流案内部は無負荷時に最もパチンコ玉に近づく下流最下端部を、それぞれ備えている。当該上流最下端部は、設置時において当該下流最下端部を通過可能な個数よりも１個だけ多く通過可能となる位置に配してある。
【０００９】
請求項１の振子体によれば、パチンコ玉傾斜路に設置されたときに、転動してくるパチンコ玉と揺動しながら接触して一列縦列のパチンコ玉の縦方向の重なりを均す。その際の均しは、まず、上流側下端の下をある個数（たとえば、２個、以下、本欄で同じ）が通過できるように振子体が設置されたとすれば、下流側下端の下を通過できる個数は、その個数よりも１個だけ少ない個数（すなわち、１個）となるように行われる。このように下流側下端におけるよりも1個（もしくはそれ以上）多く重なったパチンコ玉を上流において均すことにより、下流側下端における均し負担を軽減することができる。均し負担の軽減は、下流側下端における玉詰まりを有効に防止する。請求項１の振子体は、1個の振子体に上流案内部と下流案内部とを一体的に設けた単一機構であるから、その設置と揺動のための占有面積は狭くて足りる。その結果、パチンコ玉傾斜路の短小化が実現する。
【００１０】
（請求項２記載の発明の特徴）
請求項２記載の発明に係るパチンコ玉傾斜路に設置される均し振子体（以下、「請求項２の振子体」という）は、パチンコ玉を一列縦列で傾斜底部上を転動させるパチンコ玉傾斜路に、転動方向に沿って揺動自在に設置され、パチンコ玉と接触して縦の重なりを均すための玉均し振子体である。請求項２の振子体は、均しのためにパチンコ玉と接触する上流案内部と、当該上流案内部の下流側でパチンコ玉と接触するように当該上流案内部と一体に設けた下流案内部と、を備え、当該上流案内部は揺動時に最もパチンコ玉に近づく上流最下端部を、当該下流案内部は無負荷時に最もパチンコ玉に近づく下流最下端部を、それぞれ備えている。揺動時における当該上流最下端部の軌跡と当該傾斜底部との間の上流最短距離はパチンコ玉ｎ（ｎ＝２以上）個分の直径寸法よりも長くパチンコ玉ｎ＋1個分の直径寸法よりも短く設定してあり、かつ、揺動時における当該下流最下端部の軌跡と当該傾斜底面との間の下流最短距離はパチンコ玉ｎ−１個分の直径寸法よりも長くパチンコ玉ｎ個分の直径寸法よりも短く設定してある。
【００１１】
請求項２の振子体によれば、パチンコ玉傾斜路に設置されたときに、転動してくるパチンコ玉と揺動しながら接触して一列縦列のパチンコ玉の縦方向の重なりを均す。その際の均しは、まず、上流側下端の下をある個数（たとえば、ｎ＝２、以下、本欄で同じ）が通過できるように振子体が設置されたとすれば、下流側下端の下を通過できる個数は、その個数よりも１個だけ少ない個数（すなわち、ｎ−１＝１個）となるように行われる。このように下流側下端における個数よりも1個（もしくはそれ以上）多く重なったパチンコ玉を上流において均すことにより、下流下端における均し負担を軽減することができる。均し負担の軽減は、下流側下端における玉詰まりを有効に防止する。請求項２の振子体は、1個の振子体に上流案内部と下流案内部とを一体的に設けた単一機構であるから、その設置と揺動のための占有面積は狭くて足りる。その結果、パチンコ玉傾斜路の短小化が実現する。
【００１２】
（請求項３記載の発明の特徴）
請求項３記載の発明に係るパチンコ玉傾斜路に設置される均し振子体（以下、「請求項３の振子体」という）は、請求項２の振子体であって、前記下流案内部の少なくともパチンコ玉と接触する部位は、前記傾斜底部の側面から見たときに前記下流最下端部を含む円弧状に形成してある。
【００１３】
請求項３の振子体によれば、請求項２の振子体の作用効果に加え、下流案内部の当該接触部位を下流最下端部を含む円弧状に形成してあるため、ある１個のパチンコ玉との接触は、それが球形であることから常に1か所のみ行われる。1か所接触であることから、２か所以上の接触だと起こり得るブリッジ作用が生じないので、玉詰まりを有効に防止することができる。下流案内部を任意の形状の突起により構成することを妨げないが、円弧状に形成した方が上記した玉詰まりを有効に防止するとともに、形態的な安定を図ることもできる。
【００１４】
（請求項４記載の発明の特徴）
請求項４記載の発明に係るパチンコ玉傾斜路（以下、「請求項４の傾斜路」という）は、パチンコ玉を一列縦列で傾斜底部上を転動させるパチンコ玉傾斜路であって、請求項２又は３記載の均し振子体を備えている。
【００１５】
請求項４の傾斜路によれば、請求項２又は３の振子体を備えているため、パチンコ玉の詰まりを有効に防止することができる。なお、パチンコ玉傾斜路が備える振子体は、必ずしも１個である必要はなく、複数であってもよい。また、パチンコ玉傾斜路は、直線状のものもあれば、たとえば２本の直線状のものを湾曲部で連結して折り返すように構成してあるものもある。請求項２又は３の振子体は、1個の振子体に上流案内部と下流案内部とを一体的に設けた単一機構であるから、その設置と揺動のための占有面積は狭くて足りる。その結果、請求項４の傾斜路の短小化が実現する。
【発明の効果】
【００１６】
本発明によれば、単一部材（単一機構）によって占有面積の小さい玉均し部材（玉均し振子体）を提供することができる。これにより、パチンコ玉傾斜路に対する短小化の求めが満たされる。
【図面の簡単な説明】
【００１７】
【図１】補給樋に取り付けられたパチンコ玉補給装置の斜視図である。
【図２】パチンコ玉補給装置の斜視図である。
【図３】図２に示すパチンコ玉補給装置のＡ−Ａ断面図である。
【図４】パチンコ玉補給装置の背面図である。
【図５】上流振子体の斜視図と正面図である。
【図６】下流振子体の斜視図と正面図である。
【発明を実施するための形態】
【００１８】
各図を参照しながら、本発明を実施するための形態（以下、「本実施形態」という）について説明する。
【００１９】
（振子体の設置例）
図１に示す符号１０１は、傾斜を利用してパチンコ玉を転動搬送するための補給樋を示す。補給樋１０１は、転動方向（図１の右から左の方向）に下り傾斜する板状の傾斜底部１０３と、傾斜底部１０３の幅方向両側から規律する両側壁部１０５を備えている。一方の側壁部１０５には、所定長さの開口（側壁開口部１０７）を形成してある。側壁開口部１０７は、転動してきたパチンコ玉を傾斜底部１０３の上から側方へ落下させるために側壁部１０５の一部を切り欠いてなる部位であって、そこには落下するパチンコ玉を受け取るためのパチンコ玉補給装置（以下、「補給装置５１」という）を設置してある。補給装置５１は、補給樋１０１の下方に位置するパチンコ機１００（２点鎖線で表示）へ受け取ったパチンコ玉を１個ずつ落下供給する役割を担っている。なお、符号１Ａは、補給装置５１に設置された振子体を示す。補給装置５１は、振子体１Ａの下流に、別の振子体１Ｂを備えている。
【００２０】
（補給装置の概略構造）
図２に示す補給装置５１は、補給樋１０１（図１参照）に沿って長い起立した板状の壁（仕切壁部５６）を備えている。仕切壁部５６の両側には、補給樋１０１に面する側の往路傾斜路５５と、補給樋１０１から見て仕切壁部５６の裏側の復路傾斜路５９と、を設けてある。往路傾斜路５５の下流側終端には、往路傾斜路５５と復路傾斜路５９とを連絡する折り返し傾斜路５７を設けてある。往路傾斜路５５と折り返し傾斜路５７と復路傾斜路５９の三者により、本実施形態のパチンコ玉傾斜路５３が構成される。パチンコ玉傾斜路５３は、全体としてパチンコ玉を一列縦列で転動させるための通路である。
【００２１】
往路傾斜路５５は、図２および３に矢印ａで示すパチンコ玉の転動方向に下り傾斜する傾斜底部５５ａ（図３参照）を備え、傾斜底部５５ａの幅方向の一方は、先に説明した仕切壁部５６によって仕切られ、同方向の他方は、補給樋１０１の側壁開口１０７（図１参照）に繋がる受入開口部６１となっている。傾斜底部５５ａの幅寸法は、パチンコ玉を一列縦列させるために、パチンコ玉１個分の直径よりも僅かに長く設定してある。傾斜底部５５ａには、上記した下り傾斜とともに、仕切壁部５６に向かって下る僅かな幅方向の傾斜もつけてある。転動するパチンコ玉を仕切壁部５６側に沿わせて直線状に縦列させるためである。傾斜底部５５ａから見た仕切壁部５６の高さ寸法は、パチンコ玉が重なる個数分の直径寸法、たとえば、パチンコ玉数個分の直径寸法と同じ寸法に設定する。重なったパチンコ玉が往路傾斜路５５（復路傾斜路５９）からこぼれ落ちないようにするためである。符号５５ｂは、受入開口部６１の下流側に仕切壁部５６に対向して起立する起立支持部を示す（図２参照）。
【００２２】
往路傾斜路５５には上流振子体１Ａを設けてある。上流振子体１Ａは、起立支持部５５ｂと仕切壁部５６によって挟まれるように設置され、傾斜底部５５ａに対してパチンコ玉の転動方向に沿って揺動自在になっている。なお、図２に示す符号５４は、図３に２点鎖線で示す以上の角度で大きく揺動した場合に、上流振子体１Ａと当接してその振り切れを防止するためのストッパーを示す。上流振子体１Ａが振り切れたままの状態になると一気にパチンコ玉が流れ込んでしまう恐れがあるので、これをなくすために上流振子体１Ａの揺動範囲を制限するためのストッパーである。上流振子体１Ａがストッパー５４に当接するほどの大きな揺動は、たとえば、図１に示す補給樋１０１を清掃する際に、傾斜底部１０３を露出させるためにその上にあったパチンコ玉を清掃する者が手でかき分ける作業を行うが、その作業によるパチンコ玉の押し寄せが通常稼働時よりも大きな玉圧（圧力）を上流振子体１Ａにかけた場合に生じる。
【００２３】
次は、図２および３に基づいて、折り返し傾斜路５７について説明する。折り返し傾斜路５７は、往路傾斜路５５と復路傾斜路５９とを連絡する平面視Ｕ字形の傾斜路である。折り返し傾斜路５７は、仕切壁部５６の開放端部５６ｅ（図２ではストッパー５４の下、破線で示す）と、この開放端部５６ｅを内側に置いて挟むように折り返す平面視Ｕ字形の傾斜底部５７ａ（図４参照）と、傾斜底部５７ａの外縁から起立する平面視Ｕ字形の折り返し側壁部５７ｂとにより構成してある。傾斜底部５７ａは、傾斜底部５５ａの下流端と繋がっている。折り返し側壁部５７ｂの高さ寸法は、仕切壁部５６と同様に玉こぼれしない寸法に設定してある。
【００２４】
さらに、図２および４を参照しながら、復路傾斜路５９について説明する。復路傾斜路５９は、傾斜底部５９ａと、前記した仕切壁部５６と、仕切壁部５６と対向して傾斜底部５９ａの側縁から起立する往路側壁部５９ｂとにより構成してある。傾斜底部５９ａは傾斜底部５７ａと、往路側壁部５９ｂは折り返し側壁部５７ｂと、それぞれ繋がっている。なお、傾斜底部５９ａの終端には、転動してきたパチンコ玉を落下路６３へ落下させるための落下孔５９ｈ（図４参照）を形成してある。復路傾斜路５９には下流側振子体１Ｂを設けてある。下流側振子体１Ｂは、往路側壁部５９ｂと仕切壁部５６によって挟まれるように設置され、傾斜底部５９ａに対してパチンコ玉の転動方向に沿って揺動自在になっている。
【００２５】
（上流振子体の構造）
図２及び５に基づいて、上流振子体の構造を説明する。上流振子体１Ａは、その大部分が一体成形された合成樹脂製であって、均しのためにパチンコ玉と接触する上流案内部３と、上流案内部３の下流側（図５（ｂ））の右側でパチンコ玉と接触する下流案内部５と、下流案内部５と一体の軸部７と、を備えている。以下、下流案内部５、上流案内部３の順で説明する。
【００２６】
（下流案内部の構造）
下流案内部５は、図５（ｂ）に示すように、正面視したときにほぼ環状のウェイト保持部５ｗと、ウェイト保持部５ｗの両脇から軸部７を頂点とする三角形の２辺を構成する吊り下げ部５ｂと、を有し、全体として水滴に類似した形状をしている。ウェイト保持部５ｗは、厚み方向（図５（ｂ）の紙面垂直方向）に貫通した中空になっていて、その中にウェイトＷａをはめ込み固定してある。なお、符号５ａは、ウェイト保持部５ｗ（下流案内部５）の上流最下端部を示す。
【００２７】
（上流案内部の構造）
上流案内部３は、下流案内部５の上流側、軸部７寄りに位置する一部扁平の正面視環状に形成してある。上流案内部３のパチンコ玉と接触する部位は、円弧状としてある。符号３ａは、上流案内部３の一部である上流最下端部を示す。ここで、パチンコ玉との接触部位を、上流最下端部３ａを含む円弧状に形成したのは、パチンコ玉の詰まりを有効に防止するためである。つまり、パチンコ玉が球形であることから上流最下端部３ａとパチンコ玉との接触は常に1か所のみで行われ、２か所以上の接触だと起こり得るブリッジ作用を生じにくくすることができるからである。もっとも、ブリッジ作用が生じにくい他の形状の採用を妨げるものではない。さらに、上流振子体１Ａ全体の重量を増加させたいときは、上流案内部３内にもウェイト（図示せず）を埋め込み固定するとよい。上流案内部３は、下流案内部５の一部を侵食するように接続してあるが、これは下流案内部５との間の接触部位の面積を広く取ることにより強度を保つためである。また、使用に耐えるだけの充分な強度を保つことができるのであれば、当然ながら上記以外の接続方法を採用することができる。
【００２８】
（上流案内部と下流案内部との相対関係）
前記したように、上流案内部３は上流最下端部３ａを、下流案内部５は下流最下端部５ａを、それぞれ備えている。上流最下端部３ａと下流最下端部５ａとは、振子体１Ａが吊り下げ設置されたとき、揺動時に最もパチンコ玉に近づくそれぞれの部位のことをいう。下流最下端部５ａはパチンコ玉と接触しない無負荷時において、上流最下端部３ａは揺動時において、最もパチンコ玉に近づくことになる。この相対関係において、上流最下端部３ａは、下流最下端部５ａを通過可能な個数よりも１個だけ多く通過可能となる位置に配してある。
【００２９】
加えて、傾斜底部５５ａとの関係において、より具体的に述べれば、次のようになる。すなわち、揺動時における上流最下端部３ａの軌跡と傾斜底部５５ａとの間の上流最短距離はパチンコ玉ｎ（ｎ＝２以上）個分の直径寸法よりも長くパチンコ玉ｎ＋１個分の直径寸法よりも短く設定してある。本実施形態では、ｎ＝２とし、２個重なりのパチンコ玉の通過は許すが、３個重なりのパチンコ玉の通過は許さない距離に設定してある。ｎ＝２としたのは、本実施形態では振子体１Ａとは別の振子体１Ｂ（図６）を下流に位置する復路傾斜路５９に設置してあり、後述のとおり振子体１Ｂは１個（ｎ−１）のパチンコ玉のみ通過を許すようにしてあるからである。
【００３０】
（下流振子体の構造）
図６に基づいて下流振子体の構造について説明する。下流振子体１Ｂは、その大部分が一体成形された合成樹脂製であって、均しのためにパチンコ玉と接触する上流案内部１３と、上流案内部１３の下流側（図６（ｂ））のウェイト部
１５と、上流案内部１３と一体の軸部１７と、を備えている。上流案内部１３は、前掲した下流案内部５と同様に正面視したときにほぼ環状のウェイト保持部１３ｗと、ウェイト保持部１３ｗの両脇から軸部１７を頂点とする三角形の２辺を構成する吊り下げ部１３ｂと、を有し、全体として水滴に類似した形状をしている。ウェイト保持部１３ｗには、ウェイトＷｂ１を埋め込み固定してある。上流案内部１３は、前掲した下流最下端部５ａに対応する上流最下端部１３ａを備えている。
【００３１】
ウェイト部１５には、ウェイトＷｂ２を埋め込み固定してある。ウェイトＷｂ２を併せて設けたのは、下流振子体１Ｂの全重量を、上流振子体１Ａのそれよりも重くするためである。ウェイトＷｂ１を大きく（重く）することによりウェイトＷｂ２を省略することもできるが、重量調整を可能とするためにウェイトを分散したものである。
【００３２】
上流案内部１３と下流案内部５との相対関係は、上流振子体１Ａの上流案内部３と下流案内部５との相対関係と基本的に同じであるが、傾斜底部５９ａとの関係において次に示す異なりがある。すなわち、上流振子体１Ａでは２個重なりしたパチンコ玉の通過を許したが、下流側振子体１Ｂでは、１個（ｎ−１）だけの通過を許し２（＝ｎ）個重なりのパチンコ玉は通過させないように設置してある。
【００３３】
（本実施形態の作用効果）
図１、３および４を参照しながら、本実施形態の作用効果について説明する。補給樋１０１の傾斜底部１０３上を転動してきたパチンコ玉は、側壁開口１０７および補給装置５１の受入開口部６１に受け入れられる。受け入れられたパチンコ玉は、一列縦列となって往路傾斜路５５の傾斜底部５５ａ上を転動する。このとき、受け入れられたパチンコ玉の多少にもよるが、パチンコ玉は２個ないし３個程度が高さ方向に重なった状態にある（図３参照）。これらのパチンコ玉は、上流振子体１Ａに当接し重なりが均される。まず、傾斜底部５５ａから見た３段目以上のパチンコ玉は、上流案内部３（上流最下端部３ａ）に当接し、これを転動方向（図３の反時計回り方向）に揺動させようとするが、上流振子体１Ａの自重による揺動復帰によりはね返されて重なりが均される。したがって、この段階で通過するパチンコ玉は２段重なりもしくは重なりなしの状態にある。なお、この均しは、パチンコ玉の転動スピードを制限する意味もある（下流の均しでも同じ）。スピード制限を加える理由は、スピードが早すぎると上流振子体１Ａの玉均し機能が十分に発揮できなかったり、一旦は均したが後続するパチンコ玉が先行するパチンコ玉の下に入り込むなどによる新たな玉の重なりが生じたりするおそれがあるので、それらを未然に防止するためである。
【００３４】
上流最下端部３ａの下を通過した２段重なり状態のパチンコ玉の上段のパチンコ玉は、次に、ウェイト部１５に当接して重なりなしの状態に均される。ここで、もし上流案内部３が存在しないとしたら、３段重なり状態のパチンコ玉が下流案内部５に当接し、それにより上流振子体１Ａに過ぎた揺動を強いることになる。そのようなことが起これば、均し機能が殺がれ重なったままのパチンコ玉の転動流下を許すことになる。上流案内部３が存在することにより、重なりパチンコ玉の流下が有効に防止される。上流案内部３の存在がいかに効果的であるか理解されよう。
【００３５】
このようにして、上流振子体１Ａの下を通過し１段に均されたパチンコ玉は、そのままの状態で折り返し傾斜路５７を抜け復路傾斜路５９に入り、そこで、下流振子体１Ｂに出会うことになる（図４参照）。これが、原則ではあるが、上流振子体１Ａに当接する際のパチンコ玉の重なり具合や、そのときの転動スピードなどにより原則通り均されない場合も少なくない。
【００３６】
そこで、仮に２段重なりで復路傾斜路５９の傾斜底部５９ａ上を転動してきたパチンコ玉があったとして、そのうち、上にあるパチンコ玉は下流振子体１Ｂの上流案内部１３に当接し、これを揺動させようとするが、下流振子体１Ｂの揺動復帰力により上側のパチンコ玉がはね返される。その結果、最下段の１個だけが上流案内部１３（上流最下端部１３ａ）の下を一列縦列で通過し落下孔５９ｈから落下し落下路６３を経てパチンコ機１００（図１参照）に至る。パチンコ玉の重なりがなければ、すなわち、１段状態で転動流下してきたパチンコ玉は、下流振子体１Ｂと当接することなく、そのまま流下する。
【００３７】
以上のとおり、本実施形態によれば、上流振子体１Ａは、それ単独で段階的な玉均しをするので、省スペースの中できわめて有効な玉均しを実現する。
【符号の説明】
【００３８】
１Ａ，１Ｂ  振子体
３          上流案内部
３ａ        上流最下端部
５          下流案内部
５ａ        下流最下端部
５ｂ        吊り下げ部
５ｗ        ウェイト保持部
７          軸部
１３          上流案内部
１３ａ        上流最下端部
１３ｗ        ウェイト保持部
１５          ウェイト部
１７          軸部
５１          パチンコ玉補給装置（補給装置）
５３          パチンコ玉傾斜路
５４          ストッパー
５５          往路傾斜路（パチンコ玉傾斜路）
５５ａ        傾斜底部
５５ｂ        起立支持部
５６          仕切壁部
５６ｅ        開放端部
５７          折り返し傾斜路
５７ａ        傾斜底部
５７ｂ        折り返し側壁部
５９          復路傾斜路（パチンコ玉傾斜路）
５９ａ        傾斜底部
５９ｂ        往路側壁部
５９ｈ        落下孔
６１          受入開口部
６３          落下路
１００        パチンコ機
１０１        補給樋
１０３        傾斜底部
１０５        側壁部
１０７        側壁開口部
【図１】
0005764413.tif 000002
【図２】
0005764413.tif 000003
【図３】
0005764413.tif 000004
【図４】
0005764413.tif 000005
【図５】
0005764413.tif 000006
【図６】
0005764413.tif 000007